(57)【要約】      （修正有） 【課題】着用者自身で帯を結ぶことができるとともに、構造がきわめて簡単で、しかも、身体に圧迫感を与えることがなく、浴衣等の簡易な帯にも適用できる、帯結び補助具を提供する。【解決手段】帯結び補助具１は、身体に巻回した帯１０と着物９との間に挿入されて保持される挿入部２と、挿入部の上縁に沿って形成されるとともに、挿入された上記帯の上縁部に沿って延出させられて、帯の結び目を保持できる結び目保持部３と、弾性伸縮可能な材料で形成され、結び目保持部の両端部から結び目保持部の周りにループ状に延出させられた少なくとも３本以上の帯係止部材４ａ，４ｂ，４ｃ，４ｄとを備えて構成される。【選択図】図７
0003114611.tif 000002
【実用新案登録請求の範囲】
【請求項１】
身体に巻回された帯と着物との間に挿入されて保持される挿入部と、
上記挿入部の上縁に沿って形成されるとともに、挿入された上記帯の上縁部に沿って延出させられて、上記帯の結び目を保持できる結び目保持部と、
弾性伸縮可能な材料で形成され、上記結び目保持部の両端部から上記結び目保持部の周りにループ状に延出させられた少なくとも３本以上の帯係止部材とを備える、帯結び補助具。
【請求項２】
上記挿入部が板状に形成されているとともに、
上記結び目保持部が、上記板状挿入部の上縁部に沿って筒状ないし棒状に形成されている、請求項１に記載の帯結び補助具。
【請求項３】
上記結び目保持部が、略円筒状ないし円柱状に形成されている、請求項１又は請求項２のいずれかに記載の帯結び補助具。
【請求項４】
上記結び目保持部の両端部から延出させられ、胴部に巻回されて結ばれる紐部材を備える、請求項１から請求項３のいずれかに記載の帯結び補助具。
【請求項５】
上記結び目保持部を略円筒状に形成するとともに、上記帯係止部材及び上記紐部材を上記円筒内部に通挿保持して構成される、請求項１から請求項４のいずれかに記載の帯結び補助具。
【請求項６】
一枚の板状部材の中央部が略円筒状の形態となるように曲折して重ね合わせることにより、上記板状挿入部と上記結び目保持部とが一体形成されている、請求項２から請求項５のいずれかに記載の帯結び補助具。
【請求項７】
上記結び目保持部の内側に弾性を備える円柱状の芯部材を設けた、請求項５又は請求項６のいずれかに記載の帯結び補助具。
【請求項８】
ループ状の帯係止部材及び上記紐部材を、上記芯部材とともに、上記板状部材に挟み込んで保持させた請求項７に記載の帯結び補助具。
【考案の詳細な説明】
【技術分野】
【０００１】
本願考案は、帯結び補助具に関する。詳しくは、従来の帯結びのように帯飾りを設けるのに手先部や垂れ部の長さを設定する必要がなく、着物の着用者自らが、創作帯飾りを迅速にかつ見栄え良く形成できるとともに、構造が非常に簡単な帯結び補助具に関するものである。
【背景技術】
【０００２】
着物の帯を、着用者自らが容易に結べるように、種々の帯結び補助具が提供されている。
【０００３】
【特許文献１】特許第２７４２９３１号
【特許文献２】特許第２８７３６７３号
【０００４】
上記特許文献１に記載されている考案は、上下方向に長い輪状に形成された基枠の上部左右の隅部に、ゴム紐が環状に夫々取り付けられ、緊張後のこのゴム紐が前端部に輪掛けされて止め付けられる腕杆が、上記基枠の胴部の上部枠よりの位置に左右一対前方に突き出されて設けられ、この腕杆の付け根付近の基枠の位置に横杆が上部枠と平行状に架設されてこの横杆と上部枠との間の基枠の位置に横架部材が架設されて構成されている。
【０００５】
上記構成を採用することより、左右一対状の腕杆の上で帯を束ね、この束ねた帯の箇所を、ゴム紐で腕杆に輪掛けすることにより、所望の形態に帯を結ぶことができるとしている。
【０００６】
一方、特許文献２に記載されている考案は、着用者の胴部に周回状に装着する帯板の外周面を巻き付ける帯に装着され、該帯の両端側となる垂れ部や手先部等を係止する係止支持台と、この係止支持台に上下回動自在に設けられ、前記垂れ部や手先部等で形成する任意形状の帯飾りを保持する上下可動台とを備えて構成されている。
【０００７】
上記構成を採用することにより、着用者が補助者を要することなく、着用者自身が前側で帯飾りを形成し、これを着用者の後部側へ回動して締着固定して帯締めを容易に行え、また、帯を解くのも着用者自身で簡単に行えるとしている。
【考案の開示】
【考案が解決しようとする課題】
【０００８】
上記従来の帯結び補助具は、一の平面に沿う枠構造を採用するとともに、帯の結び目あるいは帯飾りを保持するため、上記平面から突出する棒状の支持部材を設けている。このため、構造部材に大きな強度が要求される。特に、ゴム紐等を係止するために、帯から外方へ突出する棒状の部材には、帯飾りの重量だけでなく、ゴム紐等の弾力も作用するため、さらに大きな強度が要求されるのは明らかである。強度を確保するため、金属等の硬質材料を採用するのが好ましいが、製造が困難であり、重量も大きくなりやすい。また、変形しにくいため身体の負担が大きくなり、帯を傷める恐れもある。
【０００９】
一方、木材やプラスチックを採用した場合、強度を確保するために各部材の寸法、特に枠部材や外方へ突出する部分の太さを大きく設定しなければならない。上記従来の帯結び補助具は、着物と帯との間に挿入して保持されるが、挿入部分の寸法が大きくなると、帯と着物の間に挿入する際、大きな力が作用して帯を傷めたり、身体に圧迫感を感じさせる恐れもある。また、上記従来の帯結び補助具は、構造が複雑で、サイズや重量が大きいため、浴衣の帯に適用することは困難であった。
【００１０】
また、枠構造を採用しているために構造が複雑になり、専用の成形型等を準備する必要があることも明らかである。したがって、製造コストが大きくなる。
【００１１】
本願考案は、上記問題を解決できる帯締結び補助具を提供するものであり、着用者自身で帯を結ぶことができるとともに、構造がきわめて簡単で、しかも、身体に圧迫感を与えることがなく、浴衣等の簡易な帯にも適用できる、帯結び補助具を提供するものである。
【課題を解決するための手段】
【００１２】
本願の請求項１に記載した考案は、身体に巻回した帯と着物との間に挿入されて保持される挿入部と、上記挿入部の上縁に沿って形成されるとともに、挿入された上記帯の上縁部に沿って延出させられて、上記帯の結び目を保持できる結び目保持部と、弾性伸縮可能な材料で形成され、上記結び目保持部の両端部から上記結び目保持部の周りにループ状に延出させられた少なくとも３本以上の帯係止部材とを備えて構成される。
【００１３】
上記挿入部の形態は限定されることはないが、たとえば、請求項２に記載した考案のように板状に形成するのが好ましい。挿入部を板状に形成することにより、帯と身体との間に挿入しやすい。また、板厚を薄く設定することにより、装着部分が膨らむ等の問題が発生することはなく、帯を傷める恐れもない。
【００１４】
また、板状の挿入部を、帯や身体の表面形態に応じて変形可能な樹脂シートや板紙等で製作することができる。これにより、帯や身体にフィットするとともに、帯の張力を増加させることはなく、身体に圧迫感を与えることもない帯結び補助具を提供できる。
【００１５】
一方、上記結び目保持部は、上記挿入部の上縁に沿って一体形成されるとともに、上記帯の上縁部に沿って延出させられて、上記帯の結び目を上部に載置して保持できるように形成される。通常、帯の結び目には、延出した帯を折り重ねるようにして帯飾りが形成される。上記結び目保持部を設けることにより、上記帯飾りの保形性を高めることができる。上記結び目保持部は、請求項２に記載した考案のように筒状ないし棒状に形成するのが好ましい。
【００１６】
上記結び目保持部は、胴に巻回した帯の上縁に係止されるように、上記挿入部の片面から帯の表面側に膨出するように設けるのが好ましい。これにより、帯の上縁部に、帯の外方に向けて結び目を保持する膨出部を設けることができる。
【００１７】
帯の結び目を保持できれば、上記結び目保持部の形態は特に限定されることはない。たとえば、請求項３に記載した考案のような略円筒状ないし円柱状に形成することもできるし、断面偏平状に形成することもできる。上記結び目保持部を上記挿入部の上縁部に沿って設けることにより、挿入部の強度が補完されて、結び目及び帯飾りを確実に保持できる。
【００１８】
上記帯係止部材は、ゴム紐等の弾性伸縮可能な紐状材料を、上記結び目保持部の周りにループ状に設けて構成される。上記帯係止部材は、上記結び目保持部を円筒状に形成して、この円筒内側にループ状の上記帯係止部材を通挿するようにして設けることができる。また、上記結び目保持部の両端部に帯係止部材の両端部を連結するようにして、上記結び目保持部と上記帯係止部材によってループを構成するように形成してもよい。
【００１９】
帯飾りを形成する部分、すなわち帯の後ろ側を着用者の前側に位置させ、本願考案に係る帯結び補助具を装着する。そして、上記帯係止部材を伸長させることにより上記結び目保持部との間に環状空間を形成して、この環状空間に折り重ねられた帯を通挿し、上記帯係止部材の弾力によって、帯飾りを構成する帯を上記結び目保持部に固定する。上記帯係止部材の数は、帯飾りの形態によって設定すればよく、３本以上の帯係止部材が設けられる。帯の端部を折り重ねて、各帯係止部材と結び目保持部の間に通挿して形を整えるだけで、所望の形態の帯飾りを創作することができる。その後、帯飾りが身体後部に位置するまで帯全体を身体の周りに回動させる。
【００２０】
上記構成を採用することにより、帯飾りを、着用者自ら迅速にかつ見栄え良く形成することが可能になる。また、上記帯飾り部分を、上記結び目保持部に対して、上記帯係止部材の弾力によって保持させることができるため、帯飾りが下方へずれることはなく、保形性が高い。
【００２１】
本願の請求項４に記載した考案は、上記結び目保持部の両端部から延出させられ、胴部に巻回されて結ばれる紐部材を備えて構成したものである。形成した帯飾りが身体後部に位置するように帯を回した後、前側で上記紐部材を結ぶことにより、帯結び補助具を所定の位置に確実に保持することができる。上記紐部材は、身体前側で結んだ後、帯の内側に収容することにより、見栄えが低下することもない。上記紐部材の構成も特に限定されることはなく、たとえば、腰紐状のものを採用することができる。
【００２２】
本願の請求項５に記載した考案は、上記結び目保持部を略円筒状に形成するとともに、上記帯係止部材及び上記紐部材を上記円筒内部に通挿保持して構成したものである。
【００２３】
上記結び目保持部を略円筒状に形成することにより、帯結び補助具の強度を高めることができるとともに、軽量化を図ることができる。また、上記円筒内部に上記帯係止部材及び上記紐部材を通挿保持することにより、他の部材を要することなく、上記帯係止部材及び紐部材を帯結び補助具に付属させることができる。このため、部品点数を削減して構造を簡単化できるばかりでなく、製造コストを低減させることができる。
【００２４】
本願の請求項６に記載した考案は、一枚の板状部材の中央部が略円筒状の形態となるように曲折して重ね合わせることにより、板状の挿入部と上記結び目保持部とを一体形成したものである。
【００２５】
たとえば、厚さ０．５〜１ｍｍ程度の樹脂製シートを、中央部に円筒状の上記結び目保持部が形成されるように折り重ねることにより、極めて簡単に本願考案に係る帯結び補助具を形成できる。また、樹脂シートは弾力があり身体にフィットしやすい。さらに、上記円筒状の結び目保持部を設けるように折り重ねることにより、厚さの薄い樹脂製シート材料を採用しても所要の保形強度を確保することができる。上記樹脂製シート材料の表面側に布を貼ることにより、帯飾りを保持する際の保持力を高めることができるとともに、見栄えを向上させることができる。板状材料の重合部分は、糸で縫合し、あるいは金具等で一体化させることができる。
【００２６】
本願の請求項７に記載した考案は、上記結び目保持部に、弾性を備える円柱状の芯部材を設けたものである。上記芯部材として、樹脂スポンジ等を採用することができる。上記芯部材を設けることにより、弾性変形を許容しつつ上記結び目保持部の強度を高めることができる。また、請求項８に記載した考案のように、ループ状の帯係止部材及び上記紐部材を、上記芯部材とともに、上記板状部材に挟み込んで保持させることができる。
【００２７】
上記芯部材を設ける手法は特に限定されることはなく、曲折前の板状部材の中央部に芯部材を配置して、上記板状部材を上記芯部材に沿うように曲折して上記結び目保持部を形成することができる。また、円筒状の結び目保持部を形成した後に、円筒内部に強制挿入することもできる。
【考案を実施するための最良の形態】
【００２８】
以下、本願考案に係る帯結び補助具の実施の形態を示す。
【００２９】
図１に、本実施の形態に係る帯結び補助具の正面図を、図２に側面図を、図３に平面図を、図４に底面図を、図５に背面図をそれぞれ示す。
【００３０】
これらの図に示すように、本実施の形態に係る帯結び補助具１は、身体に巻回した帯と着物との間に挿入されて保持される板状の挿入部２と、上記挿入部２の上縁部に沿って略円筒状に一体的形成された結び目保持部３と、弾性伸縮可能な材料で形成され、上記結び目保持部３の両端部から上記結び目保持部３の周りにループ状に延出させられた４本の帯係止部材４ａ，４ｂ，４ｃ，４ｄと、上記結び目保持部３の両端部から延出させられ、胴部に巻回されて結ばれる紐部材５とを備えて構成されている。
【００３１】
本実施の形態に係る上記帯結び補助具１は、表面側に布を貼着した一枚の樹脂製シート材を、中央部が略円筒状の形態となるように曲折して重ね合わせ、２箇所を金具７，７で止めるとともに、縁部に沿って設けられた縫い目８によって、上記板状の挿入部２と中空円筒状の結び目保持部３とを一体的に形成したものである。
【００３２】
図２に示すように、上記結び目保持部３の内側には、ウレタンスポンジから形成された円筒状の芯部材６が挿入されており、上記帯係止部材４ａ，４ｂ，４ｃ，４ｄと、上記紐部材５が、上記結び目保持部３の内面に弾性挟圧された状態で保持されている。
【００３３】
上記帯係止部材４ａ，４ｂ，４ｃ，４ｄは、４本の広幅ゴム紐をループ状に形成して構成されている。実施の形態では、４本の帯係止部材４ａ，４ｂ，４ｃ，４ｄを重ねて、上記結び目保持部３の内側空間に通挿することにより保持されている。上記帯係止部材４ａ，４ｂ，４ｃ，４ｄは、結び目保持部３の両端部から、この結び目保持部３の上部外面ないし側部外面に沿うように延出させられている。上記紐部材５は、一般的な腰紐の形態を備えるものが採用されており、上記帯係止部材４ａ，４ｂ，４ｃ，４ｄとともに、上記結び目保持３の両端から延出させられている。
【００３４】
図７から図１５に基づいて、本実施の形態に係る帯結び補助具１の使用方法を説明する。
【００３５】
図７に示すように、着物９の胴部に巻回した帯１０の結び目１１を、身体の前部に形成する。次に、図８に示すように、上記帯結び補助具１の結び目保持部３が外側に向かうようにして、挿入部２を、着物９と身体に巻回した帯１０ａとの間に上方から挿入し、上記結び目保持部３の上部に上記結び目１１を位置させる。
【００３６】
図９に示すように、最も内側の帯係止部材４ａを引き上げてループを拡大し、その中に折り重ねた帯の一端部１２を挿入する。図１０に示すように、帯の一端部１２は、上記帯係止部材４ａによって、上記結び目保持部３との間で弾性挟圧されて保持される。
【００３７】
次に、図１１に示すように、内側から２番目の帯係止部材４ｂを引き上げて、上記帯係止部材４ａと同様にループを拡大し、帯の他端部１３を折り重ねて挿入する。さらに、図１２及び図１３に示すように、上記帯係止部材４ｃ及び４ｄを順次引き上げて、延出した帯を折り重ねて帯係止部材４ｃ及び４ｄと結び目保持部３との間に挿入する。最後に、図１４及び図１５に示すように、上記帯係止部材４ａ，４ｂ，４ｃ，４ｄが隠れるように帯飾り１５を整形し、所望の形態の帯飾り１５を形成する。
【００３８】
上記帯飾り１５を形成した後、帯１０の全体を、胴の周りに１８０度回動させ、帯飾りを身体の後方に位置させる。その後、上記結び目保持部３の両端部から延出する紐部材５，５の端部を前側に回して結び、その結び目を帯と着物の間に挟み込んで、帯の結びが完了する。
【００３９】
本実施の形態では、帯飾りを身体の前側で形成できるため、着用者自身で帯を着用することができる。また、帯端部を順次折り重ねて、上記帯係止部材４ａ，４ｂ，４ｃ，４ｄの弾力を用いて上記結び目保持部上に係止するだけで所望の形態の帯飾りを形成することができる。このため、迅速にかつ極めて容易に帯を着用することができる。
【００４０】
さらに、本実施の形態に係る帯結び補助具１は、構造が極めて簡単であり、また、非常に軽量であるため、身体に負担をかけることもなく、また、安価に製造することができる。
【００４１】
本願考案の帯結び補助具は、上述の実施の形態に限定されることはない。実施の形態では、布を貼った樹脂シートを曲折して帯結び補助具を形成したが、板紙を用いて形成することもできるし、樹脂を射出成形することにより形成することもできる。
【００４２】
また、実施の形態では、略方形の板状の挿入部を採用したが、略３角形状等の挿入部を設けることもできる。また、板状の挿入部の内側に窓部を開口して、さらに軽量化を図ることもできる。
【００４３】
また、本願考案に係る帯結び補助具が適用できる帯の種類も限定されることはない。特に、非常に小型で軽量に形成できるため、浴衣用の帯にも好適である。
【図面の簡単な説明】
【００４４】
【図１】本願考案の帯結び補助具の一例を示す正面図である。
【図２】図１に示す帯結び補助具の右側面図である。
【図３】図１に示す帯結び補助具の平面図である。
【図４】図１に示す帯結び補助具の底面図である。
【図５】図１に示す帯結び補助具の背面図である。
【図６】図１におけるＶ−Ｖ線に沿う断面図である。
【図７】本願考案の帯結び具の使用方法を説明する説明図である。
【図８】本願考案の帯結び具の使用方法を説明する説明図である。
【図９】本願考案の帯結び具の使用方法を説明する説明図である。
【図１０】本願考案の帯結び具の使用方法を説明する説明図である。
【図１１】本願考案の帯結び具の使用方法を説明する説明図である。
【図１２】本願考案の帯結び具の使用方法を説明する説明図である。
【図１３】本願考案の帯結び具の使用方法を説明する説明図である。
【図１４】本願考案の帯結び具の使用方法を説明する説明図である。
【図１５】本願考案の帯結び具の使用方法を説明する説明図である。
【符号の説明】
【００４５】
１  帯結び補助具
２  板状挿入部
３  結び目保持部
４ａ  帯係止部材
４ｂ  帯係止部材
４ｃ  帯係止部材
ｄｄ  帯係止部材
【図１】
0003114611.tif 000003
【図２】
0003114611.tif 000004
【図３】
0003114611.tif 000005
【図４】
0003114611.tif 000006
【図５】
0003114611.tif 000007
【図６】
0003114611.tif 000008
【図７】
0003114611.tif 000009
【図８】
0003114611.tif 000010
【図９】
0003114611.tif 000011
【図１０】
0003114611.tif 000012
【図１１】
0003114611.tif 000013
【図１２】
0003114611.tif 000014
【図１３】
0003114611.tif 000015
【図１４】
0003114611.tif 000016
【図１５】
0003114611.tif 000017